(57)【要約】【課題】包装用箱の二重側壁の構造を利用して、包装用箱内に収納される被包装物を内部支持するための支持部を設けて、被包装物を内部支持可能にした二重側壁型包装用箱を提供することにある。【解決手段】適度の剛直性を有する一枚の型抜きシート部材からなり、矩形形状の低壁１を有し、前記低壁に対し、互いに対向する第１の組の各谷折り辺２ａ、２ａを介して外側壁３、上縁幅形成壁６および内側壁９からなる第１対の二重側壁ＤＷ１と、互いに対向する第２の組の各谷折り辺２ｂ、２ｂを介して外側壁４、上縁幅形成壁７および内側壁１０からなる第２対の二重側壁ＤＷ２とを有する二重側壁型包装用箱において、前記第１対の二重側壁ＤＷ１における少なくとも一方の内側壁９に被包装物を配列して、その一部を挿入して支持する挿入支持部２１を設けてなる被包装物を内部支持可能にした二重側壁型包装用箱。【選択図】図１
0003111698.tif 000002
【実用新案登録請求の範囲】
【請求項１】
適度の剛直性を有する一枚の型抜きシート部材からなり、矩形形状の低壁１を有し、前記低壁に対し、互いに対向する第１の組の各谷折り辺２ａ、２ａを介して外側壁３、上縁幅形成壁６および内側壁９からなる第１対の二重側壁ＤＷ１と、互いに対向する第２の組の各谷折り辺２ｂ、２ｂを介して外側壁４、上縁幅形成壁７および内側壁１０からなる第２対の二重側壁ＤＷ２とを有する二重側壁型包装用箱において、前記第１対の二重側壁ＤＷ１における少なくとも一方の内側壁９に、被包装物Ｈを配列して、その一部を挿入して支持する挿入支持部２１を設けてなることを特徴とする被包装物を内部支持可能にした二重側壁型包装用箱。
【請求項２】
前記二重側壁ＤＷ１における少なくとも一方の内側壁９に設けた挿入支持部２１が、前記被包装物Ｈの少なくとも一端部側を受け入れるに適した端部形状に符合する開孔からなることを特徴とする請求項１に記載の被包装物を内部支持可能にした二重側壁型包装用箱。
【請求項３】
前記被包装物Ｈが、少なくとも一端部に扁平シール部Ｈａを備えた平袋からなるものであって、前記二重側壁ＤＷ１における少なくとも一方の内側壁９に設けた挿入支持部２１が、前記平袋における扁平シール部を受け入れるに適した長孔からなることを特徴とする請求項１に記載の被包装物を内部支持可能にした二重側壁型包装用箱。
【請求項４】
前記二重側壁ＤＷ１における少なくとも一方の内側壁３に設けた長孔が、前記底壁１に対して角度α傾斜していて、隣接する長孔同士が部分的に重なり合うように形成されているものからなることを特徴とする請求項３に記載の被包装物を内部支持可能にした二重側壁型包装用箱。
【考案の詳細な説明】
【技術分野】
【０００１】
この考案は、四側壁が二重の構造でなる二重側壁型包装用箱に係るものであり、特に、当該二重側壁型包装用箱の二重側壁の構造を利用し、当該包装用箱内に収納される被包装物を内部支持するための支持部を設けてなる被包装物を内部支持可能にした二重側壁型包装用箱に関するものである。
【背景技術】
【０００２】
従来、板紙製の包装用箱は、一枚の型抜きシートにより、各種折り線に沿って折り曲げあるいは折り畳んで立体的に組み立てたものであり、とりわけ、組み立てることによって矩形形状の低壁に対して、その四側壁が、外側壁と内側壁とからなる二重側壁型の包装用箱が、各種開発され提供されてきている。
【０００３】
一方、この種の包装用箱において、例えば、小袋などに小分けされた複数の被包装物を、当該包装用箱の内部に位置決めして配列収納するため、仕切り部材などを組み合わせた仕切り付き包装用箱についても、各種が開発され、提供されてきている。
【０００４】
しかしながら、従来の板紙製の包装用箱において、小分けされた複数の被包装物を、当該包装用箱内に収納する手段としての仕切り構造の包装用箱は、 箱本体に対して、仕切り体を組み合わせたものからなっている。この仕切り構造の包装用箱は、 箱本体と仕切り体とは部材であり、別々の型抜きシートから作成され、別々に管理され、その組み立てが煩雑であるなどの問題点を有していた。
【考案の開示】
【考案が解決しようとする課題】
【０００５】
そこで、この考案では、一枚の型抜きシート部材によって構成される二重側壁の包装用箱であって、当該包装用箱の二重側壁の構造を利用して、当該包装用箱内に収納される被包装物を内部支持するための支持部を設けてなる被包装物を内部支持可能にした二重側壁型包装用箱を提供することにある。
【課題を解決するための手段】
【０００６】
この考案は、上記する目的を達成するにあたって、請求項１に記載の考案は、適度の剛直性を有する一枚の型抜きシート部材からなり、矩形形状の低壁を有し、前記低壁に対し、互いに対向する第１の組の各谷折り辺を介して外側壁、上縁幅形成壁および内側壁からなる第１対の二重側壁と、互いに対向する第２の組の各谷折り辺を介して外側壁、上縁幅形成壁および内側壁からなる第２対の二重側壁とを有する二重側壁型包装用箱において、前記第１対の二重側壁における少なくとも一方の内側壁に、被包装物を配列して、その一部を挿入して支持する挿入支持部を設けてなる被包装物を内部支持可能にした二重側壁型包装用箱を構成するものである。
【０００７】
さらに、この考案において請求項２に記載の考案は、請求項１に記載の被包装物を内部支持可能にした二重側壁型包装用箱であって、前記二重側壁における少なくとも一方の内側壁に設けた挿入支持部が、前記被包装物の少なくとも一端部側を受け入れるに適した端部形状に符合する開孔からなることを特徴とするものである。
【０００８】
さらにまた、この考案において請求項３に記載の考案は、請求項１に記載の被包装物を内部支持可能にした二重側壁型包装用箱であって、被包装物が、少なくとも一端部に扁平シール部を備えた平袋からなるものであって、前記二重側壁における少なくとも一方の内側壁に設けた挿入支持部が、前記平袋における扁平シール部を受け入れるに適した長孔からなることを特徴とするものである。
【０００９】
さらにまた、この考案において請求項４に記載の考案は、請求項３に記載の被包装物を内部支持可能にした二重側壁型包装用箱であって、前記二重側壁における少なくとも一方の内側壁に設けた長孔が、前記底壁に対して角度α傾斜していて、隣接する長孔同士が部分的に重なり合うように形成されているものからなることを特徴とするものである。
【考案の効果】
【００１０】
この考案になる被包装物を内部支持可能にした二重側壁型包装用箱は、一枚の型抜きシート部材によって構成される二重側壁の包装用箱を基本構成とするものであり、当該包装用箱の二重側壁の構造を利用して、当該包装用箱内に収納される被包装物を内部支持するための支持部を設けたものであて、構造が簡単であり、多量生産に適合し、経済的にも極めて有利に作用するものである。
【００１１】
さらに、この考案になる被包装物を内部支持可能にした二重側壁型包装用箱は、小分けされた被包装物を包装用箱内に配列支持するための支持部を包装箱本体の内側壁に設けた長孔によって構成したことにより、一枚の型抜きシート部材による一構成部材によって構成されるので、製造が容易であり、保管に便利であり、立体的組み立て作業が極めて容易である点などにおいて、極めて有効に作用するものといえる。
【考案を実施するための最良の形態】
【００１２】
以下、この考案になる被包装物を内部支持可能にした二重側壁型包装用箱について、図面に示す具体的な実施例に基づいて詳細に説明する。図１は、この考案になる被包装物を内部支持可能にした二重側壁型包装用箱のための一枚の型抜きシート部材を展開して示す概略的な展開平面図であり、図２は、その型抜きシート部材において、第１の組の各谷折り辺２ａ、２ａに沿って第１対の二重側壁ＤＷ１をそれぞれ折り畳み、接着剤層を介して接着した状態を示す概略的な展開平面図であり、図３は、さらに、第２の組の各谷折り辺２ｂ、２ｂに沿って第２対の二重側壁ＤＷ２をそれぞれ折り畳んだ状態（当該包装用箱が重ね合わせ状にストックされる状態）を示す概略的な展開平面図である。
【００１３】
一方、図４は、この考案になる被包装物を内部支持可能にした二重側壁型包装用箱を立体的に組み立てた状態を示すとともに蓋体を添えて示す概略的な斜視図であり、図５は、当該被包装物を内部支持可能にした二重側壁型包装用箱内に、小分けされた複数の被包装物を収納した状態を示すとともに蓋体を添えて示す概略的な斜視図である。
【００１４】
この考案になる被包装物を内部支持可能にした二重側壁型包装用箱Ｂは、適度の剛直性を有する一枚の型抜きシート部材Ｓによって構成されている。一枚の型抜きシート部材Ｓは、図１に示すように、矩形形状の低壁１を有し、この低壁１に対し、互いに対向する第１の組の各谷折り辺２ａ、２ａを介して外側壁３、上縁幅形成壁６および内側壁９からなる第１対の二重側壁ＤＷ１と、互いに対向する第２の組の各谷折り辺２ｂ、２ｂを介して外側壁４、上縁幅形成壁７および内側壁１０からなる第２対の二重側壁ＤＷ２とを有する二重側壁型包装用箱を形成する。
【００１５】
さらに、この実施例の詳細について述べる。前記第１対の二重側壁ＤＷ１は、谷折り辺２ａを介して連続する外側壁３と、谷折り辺５ａを介して連続する上縁幅形成壁６と、谷折り辺８ａを介して連続する内側壁９と、山折り辺１１ａを介して連続していて、接着剤層２２を備えた接着壁１２とを含むものからなり、前記第２対の二重側壁ＤＷ２は、谷折り辺２ｂを介して連続する外側壁４と、谷折り辺５ｂを介して連続する上縁幅形成壁７と、谷折り辺８ｂを介して連続する内側壁１０と、山折り辺１１ｂを介して連続する補強壁１３とを含むものからなっている。
【００１６】
図に示す実施例において、例えば、前記上縁幅形成壁６のうちの一方の上縁幅形成壁６ａは、比較的広幅なものであり、これに谷折り辺８ａを介して連続する内側壁９に対しては、被包装物Ｈを配列して、その一部を挿入して支持する挿入支持部２１が設けてある。前記挿入支持部２１は、前記第１対の二重側壁ＤＷ１における両方の内側壁９、９に設けておくこともできる。さらに、前記挿入支持部２１は、図１に示す実施例のものに限定されるものではなく、前記被包装物Ｈの形態に合わせて、少なくともその一端部側を受け入れるに適した端部形状に符合する、例えば、円形形状、矩形形状、 三角形形状などの開孔によって形成しておくことができる。
【００１７】
一方、図に示す実施例によれば、前記被包装物Ｈが、少なくとも一端部に扁平シール部Ｈａを備えた平袋であって、前記第１対の二重側壁ＤＷ１における少なくとも一方の内側壁９に設けた挿入支持部２１が、前記平袋における扁平シール部を受け入れるに適した長孔によって形成されているものからなっている。前記第１対の二重側壁ＤＷ１における少なくとも一方の内側壁９に設けた長孔は、前記底壁１に対して角度α傾斜していて、隣接する長孔同士が部分的に重なり合うように形成されている。
【００１８】
図１に示す実施例において、前記外側壁３および外側壁４が隣接するそれぞれの角隅部には、それぞれ谷折り辺２ａ、２ｂの延長谷折り辺２ａ、２ｂおよび前記低壁１の各々の角隅部に相当する部分２３より、前記延長谷折り辺２ａ、２ｂに対して４５度の山折り辺１４を介して、 対称形に二分されるそれぞれ三角形形状の折込フラップ１５、１６が連接されている。
【００１９】
前記第１対の二重側壁ＤＷ１における各内側壁９、９の両端部には、山折り辺２４、２５を介して差込みフラップ１７、１８が連接されており、前記第２対の二重側壁ＤＷ２における各内側壁１０、１０の一端には、第１のロック突起１９、１９が設けてあり、前記第２対の二重側壁ＤＷ２における各補強壁１３、１３の一端には、第２のロック突起２０、２０が設けてある。
【００２０】
この考案になる被包装物を内部支持可能にした二重側壁型包装用箱は、以下に述べる手順に沿って組み立てられる。まず、この考案では、図１に示すように型抜きされた型抜きシート部材Ｓが準備された後、当該型抜きシート部材Ｓは、工場サイドにおいて、図２に示すように、前記第１対の各二重側壁ＤＷ１、ＤＷ１のうち、谷折り辺５ａ、５ａの外側の部分が、当該谷折り辺５ａ、５ａに沿って折り畳まれ、接着剤層２２、２２によってそれぞれ接着される。この考案になる被包装物を内部支持可能にした二重側壁型包装用箱Ｂでは、接着剤によって接着される部所は、この部分だけである。
【００２１】
次いで、前記型抜きシート部材Ｓは、例えば、図３に示すように、前記第２対の各二重側壁ＤＷ２、ＤＷ２のうち、谷折り辺５ｂ、５ｂの外側の部分が、当該谷折り辺５ｂ、５ｂに沿って折り畳まれ、この状態で、当該型抜きシート部材Ｓを重ね合わせ状にストックされるようになっている。
【００２２】
この考案になる被包装物を内部支持可能にした二重側壁型包装用箱Ｂは、その使用に際して、前記第１対の各二重側壁ＤＷ１、ＤＷ１は、各谷折り辺２ａ、２ａに沿って折り曲げることにより、谷折り辺８ａ、８ａが谷折りされ、山折り辺１１ａ、１１ａが山折りされ、外側壁３と内側壁９との間に、上縁幅形成壁６、６ａによる幅を持った二重側壁を形成する。一方、 前記第２対の各二重側壁ＤＷ２、ＤＷ２は、各谷折り辺２ｂ、２ｂに沿って谷折りし、各谷折り辺８ｂ、８ｂに沿って谷折りし、山折り辺１１ｂ、１１ｂに沿って山折りすることによって、外側壁４と内側壁１０との間に、上縁幅形成壁７、７による幅を持った二重側壁を形成する（図４参照）。
【００２３】
このように立体的に組み立てられた二重側壁型包装用箱Ｂに対して、例えば、 茶袋などのような、少なくとも一端部に扁平シール部Ｈａを備えた被包装物Ｈを箱内部に配列した状態で位置決め収納するべく、被包装物Ｈの一端扁平シール部Ｈａを、第１対の二重側壁ＤＷ１における少なくとも一方の内側壁９に設けた挿入支持部２１に挿入して固定する。しかる後、蓋体３１を被せて被包装物Ｈの包装を完了する。
【図面の簡単な説明】
【００２４】
【図１】図１は、この考案になる被包装物を内部支持可能にした二重側壁型包装用箱のための一枚の型抜きシート部材を展開して示す概略的な展開平面図である。
【図２】図２は、その型抜きシート部材において、第１の組の各谷折り辺２ａ、２ａに沿って第１対の二重側壁ＤＷ１をそれぞれ折り畳み、接着剤層を介して接着した状態を示す概略的な展開平面図である。
【図３】図３は、さらに、第２の組の各谷折り辺２ｂ、２ｂに沿って第２対の二重側壁ＤＷ２をそれぞれ折り畳んだ状態（当該包装用箱が重ね合わせ状にストックされる状態）を示す概略的な展開平面図である。
【図４】図４は、この考案になる被包装物を内部支持可能にした二重側壁型包装用箱を立体的に組み立てた状態に蓋体を添えて示す概略的な斜視図である。
【図５】図５は、当該被包装物を内部支持可能にした二重側壁型包装用箱内に、小分けされた複数の被包装物を収納した状態を示すものであり、これに蓋体を添えて示す概略的な斜視図である。
【符号の説明】
【００２５】
Ｓ  型抜きシート部材
１  矩形形状の低壁
２ａ、２ｂ  谷折り辺
３、４  外側壁
５ａ、５ｂ  谷折り辺
６、７  上縁幅形成壁
８ａ、８ｂ  谷折り辺
ＤＷ１  第１対の二重側壁
９、１０  内側壁
ＤＷ２  第２対の二重側壁
１１ａ、１１ｂ  山折り辺
１２  接着壁
１３  補強壁
１５、１６  折込フラップ
１７、１８  差込みフラップ
１９、２０  ロック突起
２１  挿入支持部
２２  接着剤層
Ｈ  被包装物
Ｈａ  被包装物の一端扁平シール部
【図１】
0003111698.tif 000003
【図２】
0003111698.tif 000004
【図３】
0003111698.tif 000005
【図４】
0003111698.tif 000006
【図５】
0003111698.tif 000007